(57)【特許請求の範囲】
【請求項１】
電源ＯＮの操作を受け付ける受付部と、
表示部と、
前記受付部に対する電源ＯＮの操作に応じて自動的に第１の無線通信方式により、前記第１の無線通信方式及び前記第１の無線通信方式と異なる第２の無線通信方式により通信する機能と撮像部とを有する外部装置であって、一部に給電されて前記撮像部での撮像及び前記第２の無線通信方式の通信が不能、且つ前記第１の無線通信方式の通信が可能なスタンバイ状態とされた前記外部装置の検出処理を開始し、前記検出処理により検出した前記外部装置から受信した装置識別情報に基づいて前記検出した外部装置が認証済みの外部装置であるか否かを判断する判断処理を行い、前記判断処理の結果、認証済みである場合、前記外部装置を前記撮像部での撮像、前記第１の無線通信方式の通信及び前記第２の無線通信方式の通信が可能とされ、前記撮像部により撮影された撮影画像を前記第２の無線通信方式の通信により送信する電源ＯＮ状態に切り替えを要求する電源ＯＮ要求データを前記外部装置へ送信し、前記外部装置が前記電源ＯＮ状態となって前記外部装置から前記第２の無線通信方式により受信された前記撮影画像をリアルタイムで前記表示部に表示するよう制御する制御部と、
を備える情報処理装置。
【請求項２】
前記装置識別情報は、前記外部装置のデバイスアドレスである、請求項１に記載の情報処理装置。
【請求項３】
前記制御部は、前記認証済みの外部装置から受信した装置状態情報に基づいて条件判断処理を行い、条件に合致する前記外部装置へ前記電源ＯＮ要求データを送信するよう制御する、請求項１または２に記載の情報処理装置。
【請求項４】
前記制御部は、前記装置状態情報に含まれる無線通信接続モード情報に基づいて、当該外部装置の接続モードが前記情報処理装置の接続モードと一致するか否かを判断し、一致する場合に前記電源ＯＮ要求データを当該外部装置へ送信するよう制御する、請求項３に記載の情報処理装置。
【請求項５】
前記制御部は、前記装置状態情報に含まれる電源状態情報に基づいて、前記外部装置の電源状態を判断し、前記外部装置が電源ＯＮの指示待ち状態の場合に前記電源ＯＮ要求データを当該外部装置へ送信するよう制御する、請求項３または４に記載の情報処理装置。
【請求項６】
前記制御部は、前記電源ＯＮ状態となった前記外部装置と、前記第２の無線通信方式による通信の確立処理を行う、請求項１〜５のいずれか１項に記載の情報処理装置。
【請求項７】
前記制御部は、前記外部装置が前記第２の無線通信方式による無線通信を行わず、前記第１の無線通信方式により所定の間隔で前記外部装置の装置識別情報を送信する状態である場合に送信された前記外部装置の装置識別情報に基づいて、前記外部装置の検出処理を行う、請求項６に記載の情報処理装置。
【請求項８】
前記制御部は、前記情報処理装置が複数の前記外部装置と接続可能である場合、前記第２の無線通信方式による通信接続数が所定の接続数に達するまで、前記判断処理の結果に応じて前記外部装置へ前記外部装置に対する電源ＯＮを要求する電源ＯＮ要求データを送信する、請求項７に記載の情報処理装置。
【請求項９】
前記第１の無線通信方式は、Ｂｌｕｅｔｏｏｔｈ（登録商標）であって、
前記第２の無線通信方式は、Ｗｉ−Ｆｉ（登録商標）である、請求項８に記載の情報処理装置。
【請求項１０】
前記外部装置は、撮像装置であって、
前記情報処理装置は、前記撮像装置の操作を行うリモートコントローラである、請求項１〜９のいずれか１項に記載の情報処理装置。
【請求項１１】
前記情報処理装置は、
装着部材を介してユーザに装着されるように構成された筐体と、
前記筐体に設けられ、前記撮像装置についての撮像操作に対応する撮像操作部材と、を有し、
前記受付部は、前記筐体に設けられた、
請求項１０に記載の情報処理装置。
【請求項１２】
電源ＯＮの操作を受け付ける受付部と、
表示部と、
プロセッサと、
を備える情報処理装置の情報処理方法であって、
前記プロセッサが、
前記受付部に対する電源ＯＮの操作に応じて自動的に第１の無線通信方式により、前記第１の無線通信方式及び前記第１の無線通信方式と異なる第２の無線通信方式により通信する機能と撮像部とを有する外部装置であって、一部に給電されて前記撮像部での撮像及び前記第２の無線通信方式の通信が不能、且つ前記第１の無線通信方式の通信が可能なスタンバイ状態とされた前記外部装置の検出処理を開始し、前記検出処理により検出した前記外部装置から受信した装置識別情報に基づいて前記検出した外部装置が認証済みの外部装置であるか否かを判断する判断処理を行い、前記判断処理の結果、認証済みである場合、前記外部装置を前記撮像部での撮像、前記第１の無線通信方式の通信及び前記第２の無線通信方式の通信が可能とされ、前記撮像部により撮影された撮影画像を前記第２の無線通信方式の通信により送信する電源ＯＮ状態に切り替えを要求する電源ＯＮ要求データを前記外部装置へ送信し、前記外部装置が前記電源ＯＮ状態となって前記外部装置から前記第２の無線通信方式により受信された前記撮影画像をリアルタイムで前記表示部に表示するよう制御することを含む、情報処理方法。
【請求項１３】
電源ＯＮの操作を受け付ける受付部と、
表示部と、
コンピュータと、
を備える情報処理装置を制御するプログラムであって、
前記コンピュータを、
前記受付部に対する電源ＯＮの操作に応じて自動的に第１の無線通信方式により、前記第１の無線通信方式及び前記第１の無線通信方式と異なる第２の無線通信方式により通信する機能と撮像部とを有する外部装置であって、一部に給電されて前記撮像部での撮像及び前記第２の無線通信方式の通信が不能、且つ前記第１の無線通信方式の通信が可能なスタンバイ状態とされた前記外部装置の検出処理を開始し、前記検出処理により検出した前記外部装置から受信した装置識別情報に基づいて前記検出した外部装置が認証済みの外部装置であるか否かを判断する判断処理を行い、前記判断処理の結果、認証済みである場合、前記外部装置を前記撮像部での撮像、前記第１の無線通信方式の通信及び前記第２の無線通信方式の通信が可能とされ、前記撮像部により撮影された撮影画像を前記第２の無線通信方式の通信により送信する電源ＯＮ状態に切り替えを要求する電源ＯＮ要求データを前記外部装置へ送信し、前記外部装置が前記電源ＯＮ状態となって前記外部装置から前記第２の無線通信方式により受信された前記撮影画像をリアルタイムで前記表示部に表示するよう制御する制御部として機能させるための、プログラム。
【発明の詳細な説明】
【技術分野】
【０００１】
本開示は、情報処理装置、情報処理方法、およびプログラムに関する。
【背景技術】
【０００２】
近年、デジタルカメラ等の撮像装置に通信技術を適用した製品が一般に流通するようになっている。このような撮像装置は、外部の情報処理装置等から通信を介して動作が制御され得る。
【０００３】
例えば、特許文献１には、リモートコンローラを用いて複数の撮像装置の動作を制御し、各々の撮像装置から得られる画像をリモートコントローラが有するディスプレイに表示する技術が提案されている。また、特許文献１に記載のリモートコントローラは、ユーザが操作を行うことなく画像を切り替えることが可能である。
【先行技術文献】
【特許文献】
【０００４】
【特許文献１】特開２０１５−１２７９２０号公報
【発明の概要】
【発明が解決しようとする課題】
【０００５】
このようなリモートコンローラと撮像装置を接続する際の操作は、ユーザへの負担が少なく、また、接続の際の利便性が求められるが、上記特許文献１では、リモートコンローラがリモート対象とする撮像装置の電源制御の利便性向上に関し、何ら言及されていない。
【０００６】
そこで、本開示では、外部装置の電源ＯＮ制御を自動的に行うことが可能な情報処理装置、情報処理方法、およびプログラムを提案する。
【課題を解決するための手段】
【０００７】
本開示によれば、ユーザが情報処理装置の電源ＯＮ操作を行ったことの検出に応じて自動的に無線通信方式により外部装置の検出処理を開始し、前記検出処理により検出した外部装置から受信した装置識別情報に基づいて前記検出した外部装置が認証済みの外部装置であるか否かを判断する判断処理を行い、前記判断処理の結果に応じて前記外部装置へ前記外部装置に対する電源ＯＮを要求する電源ＯＮ要求データを送信するよう制御する制御部を備える、情報処理装置を提案する。
【０００８】
本開示によれば、プロセッサが、ユーザが情報処理装置の電源ＯＮ操作を行ったことの検出に応じて自動的に無線通信方式により外部装置の検出処理を開始し、前記検出処理により検出した外部装置から受信した装置識別情報に基づいて前記検出した外部装置が認証済みの外部装置であるか否かを判断する判断処理を行い、前記判断処理の結果に応じて前記外部装置へ前記外部装置に対する電源ＯＮを要求する電源ＯＮ要求データを送信するよう制御することを含む、情報処理方法を提案する。
【０００９】
本開示によれば、コンピュータを、ユーザが情報処理装置の電源ＯＮ操作を行ったことの検出に応じて自動的に無線通信方式により外部装置の検出処理を開始し、前記検出処理により検出した外部装置から受信した装置識別情報に基づいて前記検出した外部装置が認証済みの外部装置であるか否かを判断する判断処理を行い、前記判断処理の結果に応じて前記外部装置へ前記外部装置に対する電源ＯＮを要求する電源ＯＮ要求データを送信するよう制御する制御部として機能させるための、プログラムを提案する。
【発明の効果】
【００１０】
以上説明したように本開示によれば、外部装置の電源ＯＮ制御を自動的に行うことが可能となる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態による情報処理装置の概要について説明する図である。
【図２】本実施形態に係る情報処理装置の構成の一例を示すブロック図である。
【図３】本実施形態に係る撮像装置の構成の一例を示すブロック図である。
【図４】本実施形態による情報処理装置および撮像装置の動作制御処理を示すシーケンス図である。
【図５】本実施形態による電源ＯＦＦ制御について説明する図である。
【図６】本実施形態によるＲＥＣ制御処理を示すシーケンス図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による情報処理装置の概要
２．構成
２−１．情報処理装置１０の構成
２−２．撮像装置２０の構成
３．動作制御例
３−１．動作制御処理
３−２．電源ＯＦＦ操作
３−３．ＲＥＣ操作
４．まとめ
【００１５】
＜＜１．本開示の一実施形態による情報処理装置の概要＞＞
まず、本実施形態による情報処理装置の概要について図１を参照して説明する。図１に示す情報処理装置１０は、撮像装置２０と通信接続し、撮像装置２０の動作を制御するリモートコントローラとして機能する。また、情報処理装置１０は、撮像装置２０から得られるスルー画像をリアルタイムで表示部１５に表示し、所謂ライブビューを実現する。
【００１６】
情報処理装置１０と撮像装置２０は、異なる複数の通信方式によって通信を行う機能を有する。例えば情報処理装置１０は、第１の通信方式による通信と、第１の通信方式とは異なる第２の通信方式による通信とを制御することが可能である。具体的には、例えば図１に示すように、第１の通信方式による通信としては、ＩＥＥＥ８０２．１５規格による通信（「Ｂｌｕｅｔｏｏｔｈ」（登録商標）ともよばれる。以下、「ＢＴ」と示す。）が挙げられ、第２の通信方式による通信としては、ＩＥＥＥ８０２．１１規格による通信（以下、「Ｗｉ−Ｆｉ」（登録商標）と示す。）が挙げられる。ＢＴを用いることで、より低電力での通信が可能となる。また、情報処理装置１０および撮像装置２０は、ＢＴとして「Ｂｌｕｅｔｏｏｔｈ  ｌｏｗ  ｅｎｅｒｇｙ」（以下、「ＢＴＬＥ」と示す）を用いてもよい。
【００１７】
Ｗｉ−Ｆｉの利点としては、帯域幅が広いためＢＴより大量のデータ通信が可能である点、および、規格によっては５ＧＨｚの帯域を通信に使えるため２．４ＧＨｚ帯が混雑しているような国・地域では混信に強い点が挙げられる。
【００１８】
また、ＢＴＬＥの利点として、Ｗｉ−Ｆｉより省電力である点、および通信周波数をホッピングしながら通信が行われるため電波の妨害に強い点が挙げられる。
【００１９】
なお、本実施形態に係る異なる複数の通信方式は、図１に示すようなＷｉ−ＦｉおよびＢＴの２つの通信方式に限られない。例えば、本実施形態に係る異なる複数の通信方式としては、Ｗｉ−Ｆｉ、ＢＴ、ＮＦＣ（Near  Field  Communication）、赤外線通信などの光無線通信、音を利用した音声通信、ＬＴＥ（Long  Term  Evolution）などの任意の方式の無線通信、ＬＡＮ（Local  Area  Network）による通信などの任意の方式の有線通信のうちの２以上が挙げられる。
【００２０】
また、本実施形態では、情報処理装置１０における操作によって撮像装置２０を動作させる、すなわち、情報処理装置１０が撮像装置２０のリモートコントローラとしての役目を果たす場合を想定する。情報処理装置１０は、制御情報を撮像装置２０に送信して撮像装置２０の動作を制御する。本実施形態に係る制御情報には、例えば、撮像命令、スルー画像（撮像装置２０の撮像部で撮影中の画像であり、いわゆるライブビュー画像）を情報処理装置１０に送信させる命令、撮像装置２０の設定を示すデータを情報処理装置１０に送信させる命令、撮像装置２０の設定を変更させる命令等のうち、１または２以上が含まれ得る。
【００２１】
また、情報処理装置１０は、例えば図１に示すように、バンド部分（装着部材の一例）と本体部分（筐体の一例）とから構成される腕輪型ウェアラブル端末であってもよい。これにより、ユーザは、例えば利き手と反対側の腕に情報処理装置１０を装着し、利き手で本体のボタンやスイッチ等（電源操作部材および撮像操作部材の一例）を操作したり、本体に設けられた表示部１５で、撮像装置２０から得られたスルー画像をリアルタイムで確認したりすることができる（ライブビュー）。なお情報処理装置１０は、図１に示す腕輪型ウェアラブル端末に限定されず、他のウェアラブル端末（メガネ型ウェアラブル端末（アイウェア）、ＨＭＤ（Head Mounted Display）等）や、スマートフォン、携帯電話端末、またはタブレット端末等であってもよい。
【００２２】
一方、撮像装置２０は、情報処理装置１０における操作により動作制御可能であって、その取り付け個所の適用範囲が広げられる。例えば、本実施形態による撮像装置２０を、スポーツ（例えば、自転車、ランニング、スノーボード、スキー、ドライブ、サーフィン、ダイビングなど）を行っているときにヘルメットや道具に取り付けてスポーツ中に見える臨場感ある景色をハンズフリーで撮影することができるよう、小型化、軽量化、および強固化（例えば、防水、防塵、耐衝撃、耐低温など）された撮像装置とすることが可能である。スポーツに適用可能な撮像装置２０は、小型化および軽量化により操作デバイスや表示デバイスが簡素化または排除されているため、撮像装置２０の撮像制御や設定変更などの撮像装置２０に対する操作は、リモートコントローラとして機能する情報処理装置１０などの外部装置により行われることが想定される。また、撮像装置２０のハウジングは、それ自体、または図示していない外部アタッチメントを用いることによって、人間や、乗り物などの移動体、または情報処理端末などの他の物体に固定することが可能なように構成されていてもよい。また、撮像装置２０は、例えば、ユーザの身体に装着して用いることが可能なウェアラブルカメラとして構成されていてもよい。
【００２３】
ここで、撮像装置２０は、取り付け位置によってはユーザによるボタン操作やスイッチ操作が行い難い場合があり、撮像装置２０の電源ＯＮ制御や情報処理装置１０との通信接続が自動的に行われることが望ましい。そこで、本実施形態では、情報処理装置１０に対するユーザ操作に応じて、撮像装置２０の電源ＯＮ制御および情報処理装置１０と撮像装置２０の通信接続の確立を自動的に行うことを可能とする。
【００２４】
以上、本実施形態による情報処理装置１０の概要について説明した。続いて、本実施形態による情報処理装置１０および撮像装置２０の構成について、図２および図３を参照して順次説明する。
【００２５】
＜＜２．構成＞＞
＜２−１．情報処理装置１０の構成＞
図２は、本実施形態に係る情報処理装置１０の構成の一例を示すブロック図である。図２に示すように、本実施形態による情報処理装置１０は、制御部１１、第１通信部１２、第２通信部１３、操作部１４、表示部１５、および記憶部１６を有する。例えば図１のウェアラブル端末の本体部分が図２の各部を有する構成とすることができる。
【００２６】
制御部１１は、演算処理装置および制御装置として機能し、各種プログラムに従って情報処理装置１０内の動作全般を制御する。制御部１１は、例えばＣＰＵ（Central  Processing  Unit）、マイクロプロセッサ等の電子回路によって実現される。また、制御部１１は、使用するプログラムや演算パラメータ等を記憶するＲＯＭ（Read  Only  Memory）、及び適宜変化するパラメータ等を一時記憶するＲＡＭ（Random  Access  Memory）を含んでいてもよい。
【００２７】
また、本実施形態による制御部１１は、情報処理装置１０に対する電源ＯＮ操作に応じて、第１通信部１２により周辺に存在する外部装置（ここでは、一例として撮像装置２０を用いる）を検出し、検出した外部装置に対して電源ＯＮ要求データを送信するよう制御する。これにより、制御部１１は、自動的に外部装置の電源をＯＮ制御することが可能になる。電源ＯＮ要求データを送信する際、制御部１１は、外部装置が認証済みであるか否かの判断を行ってもよい。認証済みであるか否かの判断は、例えば情報処理装置１０とペアリング済みであるか否かを確認する方法により行われる。具体的には、制御部１１は、検出した外部装置から受信した装置識別情報（例えばＢｌｕｅｔｏｏｔｈデバイスアドレス等の識別子）に基づいて、当該外部装置が情報処理装置１０と予めペアリング済みであるか否かを判断し、ペアリング済みの場合に情報処理装置１０から当該外部装置へ電源ＯＮ要求データを送信するよう制御する。なお、ここでは外部装置が認証済みであるか否かを判断する方法の一例として、外部装置が情報処理装置１０とペアリング済みであるか否かを判断することを説明したが、本実施形態はこれに限定されず、例えば接続履歴に機器の識別子があるなど所定の方法を用いて認証済みの外部装置であるか否かを判断してもよい。また、制御部１１は、認証済みの外部装置から装置状態情報を受信し、装置状態情報に含まれる無線通信接続モード情報（例えばＷｉ−Ｆｉ接続モード情報）および電源状態情報に基づいて、外部装置に対する電源ＯＮ制御および無線通信接続（例えばＷｉ−Ｆｉ接続）を行うか否かの条件判断を行ってもよい。
【００２８】
第１通信部１２は、撮像装置２０と第１の通信方式により通信する機能を有する。本実施形態による第１通信部１２は、一例としてＢＴ通信のポートおよび送受信回路（無線通信）を含む。例えば第１通信部１２は、電源ＯＮ要求データをＢＴ通信により対象の撮像装置２０へ送信する。
【００２９】
第２通信部１３は、第１の通信方式と異なる第２の通信方式により撮像装置２０と通信する機能を有する。本実施形態による第２通信部１３は、一例としてＷｉ−Ｆｉ通信のポートおよび送受信回路（無線通信）を含む。例えば第２通信部１３は、Ｗｉ−Ｆｉ通信接続が確立した撮像装置２０から継続的にスルー画像を受信したり、録画ＯＮ／ＯＦＦ等の各種制御要求データを撮像装置２０へ送信したりする。
【００３０】
操作部１４は、ユーザによる操作入力を検出し、制御部１１に出力する。操作部１４としては、例えば電源ＯＮ／ＯＦＦボタン、録画開始／停止ボタン、スイッチ、方向キー、ジョグダイヤルなどの回転型セレクター等が挙げられる。
【００３１】
表示部１５は、制御部１１の制御に従って、操作画面や、撮像装置２０から送信されたスルー画像の表示を行う。表示部１５としては、例えば液晶ディスプレイや有機ＥＬディスプレイ等が挙げられる。
【００３２】
記憶部１６は、フラッシュメモリなどにより構成され、制御部１１が各機能を実行するためのプログラムやパラメータを格納する。
【００３３】
以上、本実施形態による情報処理装置１０の構成について説明した。なお図２に示す構成は一例であって、本実施形態による情報処理装置１０の構成はこれに限定されない。
【００３４】
＜２−２．撮像装置２０の構成＞
次に、本実施形態による撮像装置２０の構成について図３を参照して説明する。図３は、本実施形態に係る撮像装置２０の構成の一例を示すブロック図である。
【００３５】
図３に示すように、本実施形態による撮像装置２０は、制御部２１、第１通信部２２、第２通信部２３、操作部２４、表示部２５、撮像部２７、および記憶部２６を有する。
【００３６】
制御部２１は、演算処理装置および制御装置として機能し、各種プログラムに従って撮像装置２０内の動作全般を制御する。制御部２１は、例えばＣＰＵ、マイクロプロセッサ等の電子回路によって実現される。また、制御部２１は、使用するプログラムや演算パラメータ等を記憶するＲＯＭ、および適宜変化するパラメータ等を一時記憶するＲＡＭを含んでいてもよい。
【００３７】
また、本実施形態による制御部２１は、第１通信部２２により、情報処理装置１０から電源ＯＮ要求データを受信した場合、撮像装置２０の電源をＯＮにするよう制御する。ここで、撮像装置２０の電源状態は、少なくとも以下の３種類が想定される。
・不活性状態：電源が切れている状態であって、少なくとも撮像部２７による画像の撮像処理や第１通信部２２および第２通信部２３による通信処理が行われない状態である。但し時計回路など一部の必要な回路は給電がされていてもよい。撮像装置２０が不活性状態である場合、ユーザは撮像装置２０が電源ＯＦＦ状態であると認識しうる。
・スタンバイ状態：撮像部２７による画像の撮像処理やＷｉ−Ｆｉ通信（第２通信部２３）による通信処理等少なくとも一部の機能は使えないが、システムの一部は給電されており、ＢＴ通信（第１通信部２２）によるアドバタイジングパケットの送信、電源ＯＮ要求データの受信等は可能な状態である。なお撮像装置２０がスタンバイ状態である場合も、ユーザは撮像装置２０が電源ＯＦＦ状態であると認識しうる。
・電源ＯＮ状態：撮像部２７による撮像やＷｉ−Ｆｉ通信によるスルー画像の送信等、スタンバイ状態より多くの機能が使える状態である。また、ＢＴ通信およびＷｉ−Ｆｉ通信の両方が使える状態である。
【００３８】
第１通信部２２は、情報処理装置１０と第１の通信方式により通信する機能を有する。本実施形態による第１通信部２２は、一例としてＢＴ通信のポートおよび送受信回路（無線通信）を含む。例えば第１通信部２２は、スタンバイ状態において、ＢＴ通信により定期的にアドバタイジングパケットを周辺に発信する。ここでアドバタイジングパケットは撮像装置２０のスタンバイ状態において周囲の機器に撮像装置２０の存在を知らせるビーコン信号である。アドバタイジングパケットは例えば撮像装置２０のデバイス識別子（装置識別情報の一例）、名前、機能、およびサービスの情報等を含む。
【００３９】
第２通信部２３は、第１の通信方式と異なる第２の通信方式により情報処理装置１０と通信する機能を有する。本実施形態による第２通信部２３は、一例としてＷｉ−Ｆｉ通信のポートおよび送受信回路（無線通信）を含む。例えば第２通信部２３は、電源ＯＮ状態において、撮像部２７により取得した撮像画像をスルー画像として、Ｗｉ−Ｆｉ通信接続が確立した情報処理装置１０へ継続的に送信する。
【００４０】
操作部２４は、ユーザによる操作入力を検出し、制御部２１に出力する。操作部２４としては、例えば撮像装置２０の電源ＯＮ／ＯＦＦボタン、録画開始／停止ボタン、およびスイッチ等が挙げられる。
【００４１】
表示部２５は、撮像装置２０の電源状態、通信状態、バッテリー残量等といった状態情報を示す画面等を表示する。表示部２５としては、例えば液晶ディスプレイや有機ＥＬディスプレイ等が挙げられる。
【００４２】
記憶部２６は、フラッシュメモリなどにより構成され、制御部２１が各機能を実行するためのプログラムやパラメータを格納する。
【００４３】
撮像部２７は、撮像により画像（動画像または静止画像）を生成する機能を有する。撮像部２７は、例えば、レンズ／撮像素子と信号処理回路とを含んで構成される。レンズ／撮像素子は、例えば、光学系のレンズと、ＣＭＯＳ（Complementary Metal Oxide
Semiconductor）などの撮像素子を複数用いたイメージセンサとで構成される。信号処理回路は、例えば、ＡＧＣ回路やＡＤＣを備え、撮像素子により生成されたアナログ信号をデジタル信号（画像データ）に変換する。また、信号処理回路は、例えばＲＡＷ現像に係る各種処理を行う。さらに、信号処理回路は、例えば、White  Balance補正処理や、色調補正処理、ガンマ補正処理、ＹＣｂＣｒ変換処理、エッジ強調処理など各種信号処理を行ってもよい。
【００４４】
以上、本実施形態による撮像装置２０の構成について具体的に説明した。なお図３に示す構成は一例であって、本実施形態による撮像装置２０の構成はこれに限定されない。
【００４５】
＜＜３．動作制御例＞＞
続いて、本実施形態による情報処理装置１０および撮像装置２０の動作制御について、図４〜図６を参照して説明する。本実施形態による情報処理装置１０は、撮像装置２０と１対１で通信接続して１の撮像装置２０の動作をリモートコントロールするシングルモード接続と、複数の撮像装置２０と多対１で通信接続して複数の撮像装置２０の動作をリモートコントロールするマルチモード接続が可能である。ここでは一例として１の撮像装置２０とシングルモードで接続する際の動作制御について説明する。
【００４６】
＜３−１．動作制御処理＞
上述したように、本実施形態による撮像装置２０は、小型化、軽量化、強固化されており、例えばスポーツを行っているときにヘルメットや道具に取り付けてスポーツ中に見える臨場感ある景色をハンズフリーで撮影することができる。この場合、取り付け位置によっては、ユーザによるボタン操作やスイッチ操作が難しいことがある。そこで、本実施形態では、情報処理装置１０に対するユーザによる電源ＯＮ操作に応じて、撮像装置２０の電源ＯＮ制御、および情報処理装置１０と撮像装置２０の通信接続を自動的に行うよう制御することで、撮像装置２０の利便性を向上させることを可能とする。
【００４７】
図４は、本実施形態による情報処理装置１０および撮像装置２０の動作制御処理を示すシーケンス図である。例えば情報処理装置１０の制御部１１および撮像装置２０の制御部２１が制御を行うことで、図４に示す動作制御処理が行われる。
【００４８】
図４に示すように、まず、撮像装置２０は、スタンバイ状態において、ＢＴ通信によりアドバタイジングパケット（Advertising packet）の発信（beacon発信）を継続的に行う（ステップＳ１０３）。
【００４９】
次に、情報処理装置１０は、ユーザにより電源ＯＮ操作（具体的には電源スイッチの押下）が行われて電源が入ると（ステップＳ１０６）、周辺に存在する撮像装置２０の検出（以下、スキャンとも称す）を開始する（ステップＳ１０９）。
【００５０】
次いで、情報処理装置１０は、撮像装置２０から継続的に発信されているアドバタイジングパケットを受信すると（ステップＳ１１２）、当該撮像装置２０が情報処理装置１０とペアリング済みであるか否かの判断を行う（ステップＳ１１５）。具体的には、情報処理装置１０は、撮像装置２０から発信されたアドバタイジングパケットの中に含まれた撮像装置２０の識別子、例えばBluetoothデバイスアドレスに基づいて、当該撮像装置２０が認証済みであるか否かを判断する。予め行われるペアリング処理では、撮像装置２０のBluetoothデバイスアドレスと暗号キーが撮像装置２０から情報処理装置１０へ送信され、情報処理装置１０において保存される。
【００５１】
次に、情報処理装置１０は、ペアリング判断の結果、情報処理装置１０とペアリング済みであると判断した撮像装置２０に対して、Scan RequestをＢＴ通信により送信する（ステップＳ１１８）。
【００５２】
次いで、情報処理装置１０は、撮像装置２０からScan responseをＢＴ通信により受信すると（ステップＳ１２１）、条件判断を行う（ステップＳ１２４）。Scan responseは、撮像装置２０のＷｉ−Ｆｉ接続モード情報および電源状態情報を含む。情報処理装置１０は、Ｗｉ−Ｆｉ接続モード（シングルモードまたはマルチモード）および電源状態を確認し、撮像装置２０が、Connection Requestを送信する所定の条件に合致しているか否かを判断する。所定の条件とは、例えば撮像装置２０のＷｉ−Ｆｉ接続モードが情報処理装置１０のＷｉ−Ｆｉ接続モードと一致し、かつ撮像装置２０の電源状態がスタンバイ状態（電源ＯＮの指示待ち）であることが一例として挙げられる。ここで、Ｗｉ−Ｆｉ接続モードのシングルモードおよびマルチモードについて説明する。シングルモードの場合、撮像装置２０はaccess point(master device)、情報処理装置１０はstation(slave
device)として機能し、撮像装置２０と情報処理装置１０は１対１で接続する。また、マルチモードの場合、撮像装置２０はstation(slave device)、情報処理装置１０はaccess
point(master device)として機能し、撮像装置２０と情報処理装置１０は多対１で接続する。
【００５３】
次に、情報処理装置１０は、条件に合致する撮像装置２０に、Connection Requestを送信する（ステップＳ１２７）。
【００５４】
次いで、撮像装置２０は、情報処理装置１０からConnection Requestを受信すると、Connection Requestに従って撮像装置２０の電源をＯＮし（ステップＳ１３０）、Ｗｉ−Ｆｉ起動およびＢＴ再起動を行う（ステップＳ１３３）。なおＢＴ再起動は行わず、ＢＴが起動した状態を維持することも可能である。
【００５５】
そして、撮像装置２０は、情報処理装置１０とＷｉ−Ｆｉ接続（ステップＳ１３６）、およびＢＴ接続を行う（ステップＳ１３９）。
【００５６】
また、撮像装置２０は、撮像装置２０のカメラ（撮像部２７）を起動し（ステップＳ１４２）、撮像部２７により取得した撮像画像をスルー画像として情報処理装置１０へＷｉ−Ｆｉ通信により送信する（ステップＳ１４５）。
【００５７】
次いで、情報処理装置１０は、撮像装置２０から送信されたスルー画像をリアルタイムで表示部１５に表示し、ライブビューを実現する（ステップＳ１４８）。
【００５８】
なお、上述した撮像装置２０の電源ＯＮ後のＷｉ−Ｆｉ起動、ＢＴ起動、カメラ起動、およびスルー画像の送信といった一連の動作は、撮像装置２０の電源がＯＮした場合に行われるよう予め撮像装置２０側で設定されているものであってもよい。
【００５９】
以上説明したように、本実施形態による情報処理装置１０は、電源ＯＮ操作が行われると自動的に撮像装置２０を検出して当該撮像装置２０の電源をＯＮするよう制御する。電源ＯＮ制御された撮像装置２０は、情報処理装置１０との通信接続の確立およびカメラの起動を行い、カメラで撮像したスルー画像をリアルタイムで情報処理装置１０に送信し、ライブビューを開始する。これにより、撮像装置２０が操作し難い場所に設置されている場合でも、ユーザが情報処理装置１０の電源をＯＮするだけで、ユーザによる撮像装置２０の選択操作や電源ＯＮ指示操作等を必要とせずに、撮像装置２０の電源ＯＮ制御を行うことができる。
【００６０】
なお上述した実施形態では、Ｗｉ−Ｆｉ接続モードがシングルモードの場合における１対１の動作処理について説明したが、本実施形態はこれに限定されず、マルチモードの場合における多対１の動作処理の場合も同様に行われ得る。すなわち、マルチモードに設定されている情報処理装置１０は、ユーザによる電源ＯＮ操作により電源が入ると、撮像装置２０の検出を開始し、検出した撮像装置２０のペアリング判断および条件判断を行い、条件に合致する撮像装置２０に対して電源ＯＮ制御を行う。そして、情報処理装置１０は、Ｗｉ−Ｆｉ接続した撮像装置２０の数が所定の最大接続数（ユーザにより設定可能）に達するまで、スキャンを継続し、複数の撮像装置２０との通信接続を確立することが可能となる。複数の撮像装置２０から取得したスルー画像は、情報処理装置１０の表示部１５で一覧表示されてもよいし、選択された一のスルー画像が、複数のスルー画像の選択アイコンと共に表示されてもよい。
【００６１】
また、本実施形態による撮像装置２０は、撮像装置２０のＢＴリモコン電源設定がＯＦＦの場合（すなわちリモート電源ＯＮしない設定の場合）、スタンバイ状態であってもアドバタイジングパケットを発信しないよう制御することも可能である。また、本実施形態による撮像装置２０は、ＢＴリモコン電源設定がＯＮの場合（すなわちリモート電源ＯＮする設定の場合）でも、外部装置が登録されていない場合（すなわちペアリングされていない場合）は、アドバタイジングパケットを発信しないよう制御してもよい。
【００６２】
＜３−２．電源ＯＦＦ操作＞
本実施形態による情報処理装置１０は、基本的なリモート操作の一例として、撮像装置２０に対する電源ＯＦＦ制御も可能である。図５は、本実施形態による電源ＯＦＦ制御について説明する図である。例えば情報処理装置１０が撮像装置２０とＷｉ−Ｆｉ通信接続およびＢＴ通信接続を確立し、撮像装置２０から受信したスルー画像を表示部１５に表示してライブビューを行っている際に、図５上段に示すようにユーザにより電源ＯＦＦ操作（例えば電源ボタンの押下）が行われると、情報処理装置１０はＢＴ通信（例えばＢＴＬＥ通信）により電源ＯＦＦ要求データを撮像装置２０に送信する。なお撮像装置２０に表示部２５が設けられている場合、図５に示すように、表示部２５には、時刻、電波状態、電源状態、電池残量、および通信状態等の各種情報が表示される。
【００６３】
次いで、図５下段に示すように、情報処理装置１０は電源ＯＦＦし、撮像装置２０も情報処理装置１０からの電源ＯＦＦ要求データに従って、電源をＯＦＦする。
【００６４】
このように、ユーザが情報処理装置１０の電源ＯＦＦ操作を行うだけで、自動的に接続中の撮像装置２０の電源ＯＦＦ制御が行われる。
【００６５】
（その他の電源ＯＦＦ挙動）
上述した実施形態では、情報処理装置１０の電源ＯＦＦ操作に連動して自動的に接続中の撮像装置２０の電源をＯＦＦする旨を説明したが、本実施形態はこれに限定されない。例えば、情報処理装置１０がバッテリー切れや温度上昇により、ユーザの意思とは無関係に強制的に電源ＯＦＦした場合、撮像装置２０へ電源ＯＦＦ要求データを送信せず、撮像装置２０の電源はＯＮのまま維持されるようにしてもよい。
【００６６】
また、接続中の撮像装置２０がユーザ操作等により電源ＯＦＦした場合、情報処理装置１０は電源ＯＮの状態を維持する。すなわちリモート電源連動のトリガは情報処理装置１０（Central機器）側からのみとしてもよい。
【００６７】
＜３−３．ＲＥＣ操作＞
続いて、基本的なリモート操作の他の例として、本実施形態によるリモートＲＥＣ操作について図６を参照して説明する。図６は、本実施形態によるＲＥＣ制御処理を示すシーケンス図である。
【００６８】
初めに、情報処理装置１０および撮像装置２０の電源がＯＮであって、Ｗｉ−Ｆｉ通信接続およびＢＴ通信接続が確立していることを前提とする。この場合に、情報処理装置１０は、ユーザによりＲＥＣボタンが押下されると（ステップＳ２０３）、ＲＥＣ開始要求データをＢＴ通信により撮像装置２０へ送信する（ステップＳ２０６）。
【００６９】
次に、撮像装置２０は、情報処理装置１０から送信されたＲＥＣ開始要求データに従って録画を開始する（ステップＳ２０９）。
【００７０】
次いで、情報処理装置１０の電源ＯＦＦボタンがユーザにより押下されると（ステップＳ２１２）、情報処理装置１０は、電源ＯＦＦ要求データをＢＴ通信により撮像装置２０へ送信する（ステップＳ２１５）。
【００７１】
続いて、撮像装置２０は、情報処理装置１０から受信した電源ＯＦＦ要求データに応じて、録画を停止し（ステップＳ２１８）、電源をＯＦＦする（ステップＳ２２１）。
【００７２】
一方、情報処理装置１０も、上述した電源ＯＦＦボタンの押下に従って、電源をＯＦＦする（ステップＳ２２４）。
【００７３】
＜＜４．まとめ＞＞
上述したように、本開示の実施形態による情報処理装置１０は、ユーザによる電源ＯＮ操作に応じて外部装置（例えば撮像装置２０）の電源を自動的にＯＮすることが可能となる。
【００７４】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７５】
例えば、上述した情報処理装置１０、撮像装置２０に内蔵されるＣＰＵ、ＲＯＭ、およびＲＡＭ等のハードウェアに、情報処理装置１０、撮像装置２０の機能を発揮させるためのコンピュータプログラムも作成可能である。また、当該コンピュータプログラムを記憶させたコンピュータ読み取り可能な記憶媒体も提供される。
【００７６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００７７】
なお、本技術は以下のような構成も取ることができる。
（１）
ユーザが情報処理装置の電源ＯＮ操作を行ったことの検出に応じて自動的に無線通信方式により外部装置の検出処理を開始し、前記検出処理により検出した外部装置から受信した装置識別情報に基づいて前記検出した外部装置が認証済みの外部装置であるか否かを判断する判断処理を行い、前記判断処理の結果に応じて前記外部装置へ前記外部装置に対する電源ＯＮを要求する電源ＯＮ要求データを送信するよう制御する制御部を備える、情報処理装置。
（２）
前記装置識別情報は、前記外部装置のデバイスアドレスである、前記（１）に記載の情報処理装置。
（３）
前記制御部は、前記認証済みの外部装置から受信した装置状態情報に基づいて条件判断処理を行い、条件に合致する前記外部装置へ前記電源ＯＮ要求データを送信するよう制御する、前記（１）または（２）に記載の情報処理装置。
（４）
前記制御部は、前記装置状態情報に含まれる無線通信接続モード情報に基づいて、当該外部装置の接続モードが前記情報処理装置の接続モードと一致するか否かを判断し、一致する場合に前記電源ＯＮ要求データを当該外部装置へ送信するよう制御する、前記（３）に記載の情報処理装置。
（５）
前記制御部は、前記装置状態情報に含まれる電源状態情報に基づいて、前記外部装置の電源状態を判断し、前記外部装置が電源ＯＮの指示待ち状態の場合に前記電源ＯＮ要求データを当該外部装置へ送信するよう制御する、前記（３）または（４）に記載の情報処理装置。
（６）
前記制御部は、電源ＯＮ状態となった前記外部装置と、前記無線通信方式と異なる他の無線通信方式による通信の確立処理を行う、前記（１）〜（５）のいずれか１項に記載の情報処理装置。
（７）
前記制御部は、前記外部装置が前記他の無線通信方式による無線通信を行わず、前記無線通信方式により所定の間隔で前記外部装置の装置識別情報を送信する状態である場合に送信された前記外部装置の装置識別情報に基づいて、前記外部装置の検出処理を行う、前記（６）に記載の情報処理装置。
（８）
前記制御部は、前記情報処理装置が複数の前記外部装置と接続可能である場合、前記他の無線通信方式による通信接続数が所定の接続数に達するまで、前記判断処理の結果に応じて前記外部装置へ前記外部装置に対する電源ＯＮを要求する電源ＯＮ要求データを送信する、前記（７）に記載の情報処理装置。
（９）
前記無線通信方式は、Ｂｌｕｅｔｏｏｔｈ（登録商標）であって、
前記無線通信方式と異なる他の無線通信方式は、Ｗｉ−Ｆｉ（登録商標）である、前記（８）に記載の情報処理装置。
（１０）
前記外部装置は、撮像装置であって、
前記情報処理装置は、前記撮像装置の操作を行うリモートコントローラである、前記（１）〜（９）のいずれか１項に記載の情報処理装置。
（１１）
前記情報処理装置は、
装着部材を介して前記ユーザに装着されるように構成された筐体と、
前記筐体に設けられ、前記電源ＯＮ操作に対応する電源操作部材と、
前記筐体に設けられ、前記撮像装置についての撮像操作に対応する撮像操作部材と、を有する、前記（１０）に記載の情報処理装置。
（１２）
前記情報処理装置は、前記撮像装置から受信した撮像画像をリアルタイムで表示するディスプレイをさらに備える、前記（１０）または（１１）に記載の情報処理装置。
（１３）
プロセッサが、
ユーザが情報処理装置の電源ＯＮ操作を行ったことの検出に応じて自動的に無線通信方式により外部装置の検出処理を開始し、前記検出処理により検出した外部装置から受信した装置識別情報に基づいて前記検出した外部装置が認証済みの外部装置であるか否かを判断する判断処理を行い、前記判断処理の結果に応じて前記外部装置へ前記外部装置に対する電源ＯＮを要求する電源ＯＮ要求データを送信するよう制御することを含む、情報処理方法。
（１４）
コンピュータを、
ユーザが情報処理装置の電源ＯＮ操作を行ったことの検出に応じて自動的に無線通信方式により外部装置の検出処理を開始し、前記検出処理により検出した外部装置から受信した装置識別情報に基づいて前記検出した外部装置が認証済みの外部装置であるか否かを判断する判断処理を行い、前記判断処理の結果に応じて前記外部装置へ前記外部装置に対する電源ＯＮを要求する電源ＯＮ要求データを送信するよう制御する制御部として機能させるための、プログラム。
【符号の説明】
【００７８】
１０  情報処理装置
１１  制御部
１２  第１通信部
１３  第２通信部
１４  操作部
１５  表示部
１６  記憶部
２０  撮像装置
２１  制御部
２２  第１通信部
２３  第２通信部
２４  操作部
２５  表示部
２６  記憶部
２７  撮像部
【図１】
0006672780.tif 000002
【図２】
0006672780.tif 000003
【図３】
0006672780.tif 000004
【図４】
0006672780.tif 000005
【図５】
0006672780.tif 000006
【図６】
0006672780.tif 000007